(57)【要約】      （修正有）【課題】カタログ等の印刷物に視覚的な効果を持たせ、また、安価かつ軽量な表示シートを提供する。【解決手段】印刷物の一部を光透過性とし、その下に電子ペーパー１３、１４を備え、該電子ペーパー１３，１４の表示を変更させることを特徴とする表示シート１０。この表示シートとしては、見開き型であり、表示シートが開いたことを検知するスイッチ手段を備え、該表示シートが開いた後、一定時間電子ペーパー１３，１４の表示変更を繰り返す構造とする。【選択図】図２
2013171184.tif 000002
【特許請求の範囲】
【請求項１】
印刷物の一部を光透過性とし、その下に電子ペーパーを備え、該電子ペーパーの表示を変更させることを特徴とする表示シート。
【請求項２】
電子ペーパーをその下に備える光透過性の部分は、全面積の４０％以下であることを特徴とする請求項１に記載の表示シート。
【請求項３】
表示シート体も光透過性の部分も、略同一平面であることを特徴とする請求項１又は２記載の表示シート。
【請求項４】
電子ペーパーは、全体が同一駆動面、若しくはセグメント駆動であることを特徴とする、請求項１〜３の何れか一つに記載の表示シート。
【請求項５】
電子ペーパーと共に、極薄型の電池、若しくは極薄型のキャパシタを内蔵することを特徴とする請求項１〜４の何れか一つに記載の表示シート。
【請求項６】
極薄型の電池は、リチウムイオンポリマー電池、若しくは極薄型のキャパシタはリチウムイオンキャパシタであることを特徴とする請求項５記載の表示シート。
【請求項７】
表示の変更は、表示色の変更であることを特徴とする請求項１〜６の何れか一つに記載の表示シート。
【請求項８】
表示の変更は、数字の変更であることを特徴とする請求項１〜６何れか一つに記載の表示シート。
【請求項９】
表示シートは、見開き型であり、表示シートが開いたことを検知するスイッチ手段を備え、該表示シートが開いた後、一定時間電子ペーパーの表示変更を繰り返すことを特徴とする請求項１〜８の何れか一つに記載の表示シート。
【発明の詳細な説明】
【技術分野】
【０００１】
本発明は、電子ペーパーを利用し、カタログ等の主に広告媒体として使用される表示シートに関する。
【背景技術】
【０００２】
従来の広告シートは、紙や合成樹脂等からなるシート体に広告情報を印刷したものを配布したり、この印刷物を屋内外に掲示したりするものが一般的である。
【０００３】
しかしながら、これら印刷物の表示は、常に一定であり、特に、カタログのような宣伝販促用配布物においては、印刷技術の進歩により美しい印刷が可能となってはいるものの、もっと目を引く効果が求められていた。また、屋外広告物においては、ネオンサインのように表示状態が変化するものがあるが、配布物のような広告シートにおいては、このようなものは存在しなかったものである。
【０００４】
一方では、液晶ディスプレイ（ＬＣＤ）に代表される薄型表示器の進化により、簡単に表示内容が変更でき、見栄えも良いものがデジタルサイネージとして出現している。
しかしながら、これらは一般的には高価なディスプレイの上に表示するもので、店頭に表示する固定表示のものであった。中には、印刷等で表示された固定表示部と、電子ペーパー等の画像情報部とを組み合わせた表示装置も提案されているが（例えば、特許文献１参照）、画像表示部は細かい表示を行うために薄膜トランジスタ（ＴＦＴ）等のドットマトリックスが必須であり、さらには画像データの受信部を備える等、電力消費も多く、やはり固定表示のものであった。
【０００５】
他方、カタログ等の宣伝用配布物の場合、再利用ができない一方通行であるため、そのコストが安価なことが求められる。また、印刷された配布物と同様に取り扱うためには、シートは薄い必要がある。そのため、仮にシートの中に電池を組み込んだ場合はその容量は限定的なものになるため、駆動回路やその表示媒体は消費電力が大幅に少ないものが求められる。そのため、エレクトロルミネセンス素子を組み込み、表示が順々に点滅して変化するカードも提案されているが（例えば、特許文献２参照）、その消費電力からみて実用には不十分なものであった。
【先行技術文献】
【特許文献】
【０００６】
【特許文献１】特開２００９−１２２１３４号公報（特許請求の範囲、実施例等）
【特許文献２】特開２００１−１８８４８９号公報（特許請求の範囲、実施例等）
【発明の開示】
【発明が解決しようとする課題】
【０００７】
本発明は、上記従来の課題および現状に鑑み、これを解決しようとするものであり、カタログ等の印刷物に視覚的な効果を持たせ、また、安価かつ軽量な表示シートを提供することを目的とする。
【課題を解決するための手段】
【０００８】
本発明は、上記従来の課題について、鋭意検討した結果、印刷物の一部を光透過性とし、その下に電子ペーパーを備えることなどにより、上記目的の表示シートが得られることを見い出し、本発明を完成するに至ったのである。
【０００９】
すなわち、本発明の表示シートは、次の（１）〜（９）に存する。
（１）  印刷物の一部を光透過性とし、その下に電子ペーパーを備え、該電子ペーパーの表示を変更させることを特徴とする表示シート。
（２）  電子ペーパーをその下に備える光透過性の部分は、全面積の４０％以下であることを特徴とする上記（１）に記載の表示シート。
（３）  表示シート体も光透過性の部分も、略同一平面であることを特徴とする上記（１）又は（２）記載の表示シート。
（４）  電子ペーパーは、全体が同一駆動面、若しくはセグメント駆動であることを特徴とする、上記（１）〜（３）の何れか一つに記載の表示シート。
（５）  電子ペーパーと共に、極薄型の電池、若しくは極薄型のキャパシタを内蔵することを特徴とする上記（１）〜（４）の何れか一つに記載の表示シート。
（６）  極薄型の電池は、リチウムイオンポリマー電池、若しくは極薄型のキャパシタはリチウムイオンキャパシタであることを特徴とする上記（５）記載の表示シート。
（７）  表示の変更は、表示色の変更であることを特徴とする上記（１）〜（６）の何れか一つに記載の表示シート。
（８）  表示の変更は、数字の変更であることを特徴とする上記（１）〜（６）の何れか一つに記載の表示シート。
（９）  表示シートは、見開き型であり、表示シートが開いたことを検知するスイッチ手段を備え、該表示シートが開いた後、一定時間電子ペーパーの表示変更を繰り返すことを特徴とする上記（１）〜（８）の何れか一つに記載の表示シート。
【発明の効果】
【００１０】
本発明によれば、カタログ等の印刷物に視覚的な効果を持たせ、また安価かつ軽量な表示シートが提供される。
【図面の簡単な説明】
【００１１】
【図１】本発明の表示シートの実施形態の一例を示すものであり、見開き型のカタログの１ページ分を示す外観図である。
【図２】（ａ）は図１の表示シートの内部構造を透視的に見た概略図、（ｂ）は図１の表示シートの断面構造を示す概略断面図である。
【図３】本発明の表示シートの実施形態の他例を示すものであり、見開き型のカタログの１ページ分を示す外観図である。
【図４】図３の表示シートの内部構造を透視的に見た概略図である。
【発明を実施するための最良の形態】
【００１２】
以下に、本発明の実施形態を図面を参照しながら詳しく説明する。
図１は、本発明の表示シートの実施形態の一例を示すものであり、見開き型のタワーマンションのカタログの１ページ分を示す外観図であり、図２（ａ）はこのカタログの内部構造を透視的に見た概略図、（ｂ）はこのカタログの断面構造を示す概略断面図である。
【００１３】
本実施形態の表示シート１０は、見開き型のタワーマンションのカタログの形態となるものである。
この表示シート１０は、図１及び図２（ａ）に示すように、カタログの一部を光透過性、本実施形態ではカラー印刷等で表示されたタワーマンションの建物の窓部１１及び１２が光透過性の窓部となっており、１１はカタログの中のタワーマンションの窓部、１２は航空機衝突防止灯に相当し、赤色に着色されている。この光透過性の窓部１１及び１２の下にそれぞれ電子ペーパー１３、１４を備えている。
【００１４】
電子ペーパー１３、１４としては、例えば、透明な前面板に形成された光透過性の電極と、背面板に形成された電極がリブにより対向配置された基板電極間に、電気泳動表示用液（電子粉流体を含む）から構成される電気泳動表示層を備えたものが挙げられる。
電気泳動表示用液としては、従来より用いられている電気泳動表示用液、例えば、少なくとも１種類以上の電気泳動粒子及び分散液媒体を含有するものであれば良く、特に限定されるものではない。
電気泳動表示用液に用いる電気泳動粒子としては、例えば、有色または無色（白色）の無機顔料粒子、有機顔料粒子、高分子微粒子等を用いることができ、これらは各単独（１種）又は２種以上を混合して用いることができる。また、親油性表面処理されている微粒子であってよいものである。好ましくは、平均粒子径が０．０５〜２０μｍのものが用いられ、特に好ましくは、平均粒子径が０．１〜１０μｍのものが望ましい。また、これらの微粒子の合計含有量は、電気泳動表示用液全量に対して、好ましくは、３〜５０質量％（以下、単に「％」という）、更に好ましくは、５〜４０％とすることが望ましい。
【００１５】
分散液媒体としては、例えば、従来電気泳動表示に用いられている各種タイプのものを用いることができる。具体的には、芳香族系炭化水素、ヘキサン、シクロヘキサン、ケロシン、アイソパー、パラフィン系炭化水素等の脂肪族炭化水素類、ハロゲン化炭化水素類、リン酸エステル類、フタル酸エステル類、カルボン酸エステル類、塩素化パラフィン、Ｎ，Ｎ−ジブチル−２−ブトキシ−５−ターシャリオクチルアニリン等が挙げられるが、これらに限定されるものではない。これらの分散液媒体の含有量としては、用いる電気泳動粒子や分散剤種によって適宜決定されるが、電気泳動表示用液全量に対して、２５〜８５％となるように含有することが好ましく、更に好ましくは、３０〜６０％とすることが望ましい。また、上記分散液媒体に対して各種油溶性染料を溶解して着色して用いることが可能である。なお、電気泳動表示用液には、上記液体タイプの他、電気泳動粒子が空気中を移動する応答速度の速い電子粉流体であってもよいものである。
更に、電気泳動表示用液には、適宜分散剤を添加することができるものであり、用いる分散剤としては、慣用的に用いられる各種の分散剤、界面活性剤や高分子界面活性剤、例えば、ノニオン系界面活性剤、アニオン系界面活性剤、カチオン系界面活性剤、両性系界面活性剤、高分子型界面活性剤などが挙げられるが、これらに限定されるものではない。
これらの分散剤の含有量としては用いる電気泳動粒子や溶媒種によって適宜決定されるが、電気泳動表示用液全量に対して、０．０１〜２０．０％となるように含有されることが好ましく、更に好ましくは、０．５〜１０％となるように含有することが望ましい。
【００１６】
本実施形態の電子ペーパー１３及び１４に用いる電気泳動表示用液には、例えば、負帯電の白色の電気泳動粒子（酸化チタン粒子）、正帯電の黒色粒子（カーボンブラックで着色された樹脂粒子）、分散剤及び分散液媒体を含有する電気泳動用表示液から構成されている。これにより、この電子ペーパー１３及び１４は、電圧の印加方向により白色または黒色を表示する。なお、本実施形態では白色または黒色を表示する電子ペーパーを使用したが、１４には赤色と黒色に変化する電子ペーパーを使用してもよい。
【００１７】
上記電子ペーパー１３及び１４は、制御回路１５に接続されており、該制御回路１５は極薄型の電池であるリチウムイオンポリマー電池１６に接続されており、全体が同一駆動面となっている。
この表示シート１０は、図２（ｂ）に示すように、上記電子ペーパー１３及び１４、制御回路１５、及びリチウムイオンポリマー電池１６を内蔵した構造となっており、表示シートも光透過性の部分も、略同一平面となっている。これにより、見開き１ページ分の厚さは０．８〜１．５ｍｍに設定でき、本実施形態では、１ページ分の厚さは、１．１ｍｍとなっている。
また、電子ペーパー１３及び１４をその下に備える光透過性の部分は、表示性及び経済性の点から、表示シート１０の全面積に対して４０％以下であることが好ましく、本実施形態では、２％となっている。なお、図２（ｂ）中の図示符合２１は表面用上質紙、２２は裏面用紙、２３はスペーサー部材である。
【００１８】
本実施形態の表示シート１０では、カタログがめくられ、図１等に示す、タワーマンションのページが開いたときに、光スイッチなどのスイッチ手段(図示せず)により検知され、制御回路１５が動作を開始する。
本実施形態の場合には、タワーマンションの窓部１１に明かりがつき、窓部１２には衝突防止灯が点滅を始めるという動作になる。また、これらの動作は、一定時間電子ペーパーの表示変更、例えば、表示色の変更を繰り返すものであってもよいものである。
【００１９】
このように構成される本発明となる表示シート１０では、極薄型に形成することができるので、カタログ等の印刷物に視覚的な効果を持たせることができ、また、データの受信部等は持たず、極力製造コストを抑えることができるので安価かつ軽量であり、実用的な表示シートとなるものである。
また、表示シート１０に備える電子ペーパー１３及び１４は、消費電力が少なく、１回の色変化による消費電力は０．７７Ｗ秒程度であり、本実施形態のリチウムイオン電池１６を使用すれば、２０万回以上の動作が可能となる。
【００２０】
図３は、本発明の表示シートの実施形態の他例を示すものであり、見開き型の自動車のカタログの１ページ分を示す外観図であり、図４はこのカタログの内部構造を透視的に見た概略図である。
本実施形態の表示シート２０は、図３及び４中の２１が光透過性の窓部となっており、その左半分はオートマチックトランスミッションのセレクタポイント等が印刷されている。
また、この光透過性の窓部２１の下に上記実施形態と同様の透明な前面板に形成された光透過性の電極と、背面板に形成された電極がリブにより対向配置された基板電極間に、電気泳動表示用液（電子粉流体を含む）から構成される電気泳動表示層を有する電子ペーパー２２を備えている。
【００２１】
図３及び４中のデジタルスピードメーターに相当する箇所には、３ケタの７セグメント表示部２３が設けられている。このセグメント表示部２３は、制御回路２４に接続されており、該制御回路２４は極薄型の電池であるリチウムポリマー電池２５に接続されており、全体がセグメント駆動となっている。
この表示シート２０は、条喫し径庭と同様に、表示シートも光透過性の部分も、略同一平面となっており、見開き１ページ分の厚さは、２．２ｍｍとなっている。
また、電子ペーパー２２をその下に備える光透過性の部分は、表示シート２０の全面積に対して、１５％となっている。
【００２２】
本実施形態の表示シート２０では、自動車カタログがめくられ、図３に示す、当該ページが開いたときに、光スイッチなどのスイッチ手段(図示せず)により検知され、制御回路２４の動作が開始される。
本実施形態の場合には、デジタルスピードメータの表示が変化し、時速１００Ｋｍを表示するという動作になる。
【００２３】
このように構成される本発明となる表示シート２０では、極薄型に形成することができるので、自動車カタログの印刷物に好適な視覚的な効果を持たせることができ、また、データの受信部等は持たず、極力製造コストを抑えることができるので安価かつ軽量であり、実用的な今までにない自動車カタログに好適な表示シートとなるものである。
また、表示シート２０に備える電子ペーパー２２は、消費電力が少なく、１回のメーター表示による消費電力は０．０７Ｗ秒程度であり、本実施形態のリチウムイオン電池１６を使用すれば、２０万回以上の動作が可能となる。
【００２４】
本発明の表示シートは、上述の如く、構成され、各種表示態様となるものであるが、上記実施形態に限定されるものではなく、本発明の技術思想の範囲内で種々変更することができる。
例えば、上記各実施形態では、表示シートを印刷物である見開き型のカタログとしたが、見開き型でない1枚のパンフレットとしても良いものである。
また、上記各実施形態では、極薄型の電池としてリチウムイオンポリマー電池を用いたが、リチウムイオンキャパシタなどの極薄型のキャパシタを内蔵したものであってもよく、更に、電子ペーパーの表示の変更として、表示シートの表示態様に連動して各種の有色となる表示色の変更、数字の変更としてもよく、表示シートが開いた後、一定時間電子ペーパーの表示変更を繰り返すものであっても良いものである。
更に、コントラストの変化により時間の経過を表すものとしても良いものである。
【産業上の利用可能性】
【００２５】
カタログ等の印刷物に視覚的な効果を持たせることができる表示シートとなる。
【符号の説明】
【００２６】
１０  表示シート
１１  光透過性の窓部
１２  光透過性の窓部
１３  電子ペーパー
１４  電子ペーパー
１５  制御回路
１６  極薄型の電池（リチウムイオンポリマー電池）
【図１】
2013171184.tif 000003
【図２】
2013171184.tif 000004
【図３】
2013171184.tif 000005
【図４】
2013171184.tif 000006